(57)【要約】【課題】  従来のような大掛かりにはならない水処理機構及びそのメンテナンスシステムを提供しようとするもの。【解決手段】  この発明の水処理機構は、多段式の水処理ユニット３を有し各水処理ユニット３にはそれぞれ対象水質に応じた処理材が充填されており、前記水処理ユニット３は上下方向に積載されて被処理水を流すようにしたことを特徴とする。また、この発明の水処理機構のメンテナンスシステムは、前記水処理ユニット３の吊り上げ機構を有し、前記吊り上げ機構により水処理ユニット３を吊り上げて交換するようにしたことを特徴とする。【選択図】図１
2019155240.tif 000002
【特許請求の範囲】
【請求項１】
多段式の水処理ユニット（３）を有し各水処理ユニット（３）にはそれぞれ対象水質に応じた処理材が充填されており、前記水処理ユニット（３）は上下方向に積載されて被処理水を流すようにしたことを特徴とする水処理機構。
【請求項２】
前記水処理ユニット（３）相互は引掛け付勢タイプの接続具（17）により着脱可能に連結された請求項１記載の水処理機構。
【請求項３】
前記多段式の水処理ユニット（３）を収容する筐体（11）を具備するようにした請求項１又は２記載の水処理機構。
【請求項４】
前記水処理ユニット（３）に充填された処理材を活性炭とし、設置現場で該水処理ユニット（３）に高温エアーを吹き込むことにより該処理材の賦活・再生を行うようにした請求項１乃至３のいずれかに記載の水処理機構のメンテナンスシステム。
【請求項５】
前記水処理ユニット（３）の吊り上げ機構を有し、前記吊り上げ機構により水処理ユニット（３）を吊り上げて交換するようにした請求項１乃至３のいずれかに記載の水処理機構のメンテナンスシステム。
【請求項６】
前記水処理ユニット（３）に高圧エアー（15）を吹き込むことにより処理材の脱水を行うようにした請求項５に記載の水処理機構のメンテナンスシステム。
【発明の詳細な説明】
【技術分野】
【０００１】
この発明は、ガソリン・スタンドで洗車に使用した汚染水その他の水を浄化する水処理機構及びそのメンテナンスシステムに関するものである。
【背景技術】
【０００２】
従来、洗車場で発生した機械油、ワックス等の油分、泥、砂、界面活性剤等を含む洗車排水を濾過装置により処理し、洗浄用水として再利用する洗車排水の処理装置に関するに関する提案があった。すなわち、以下の通りである（特許文献１）。
自動車を洗浄したのちの洗車排水を、洗車排水収集床より導管を経て分離槽に集められた。ここで、固形分を沈降させて上澄み液を溢液させて次の槽へこのような操作を繰り返して最後の槽から固形分をほぼ除去した油水混合物を、ポンプおよび導管を経て第１の前処理濾過器に送って濾過に供し、大きい平均粒径の固形物を除去した。ついで、この濾過液を導管を経て第２の前処理濾過器に送った。
この第２の前処理濾過器には、多孔性の吸油性セラミックスを充填しあり、下部から供給された油水混合物中の油分はここで吸着除去された。
一方、水道水が第１の濾過助材懸濁液槽へ供給されるとともに、第１のマンホールより珪藻土が供給されて、攪拌機で攪拌下に懸濁分散され、ついで導管を経て原水タンクへ送られた。この珪藻土懸濁液は、ポンプおよび導管を経てスプリングフィルタを備えた主濾過器へ送られた。
このようにして、珪藻土が、主濾過器のスプリングフィルタの表面にブリッジングにより付着して珪藻土槽を形成し、濾過液はスプリングフィルタ内部へ移行したのち、導管より原水タンクへ循環させた。
ついで、水道水が第２の濾過助材懸濁液槽へ供給されるとともに、第２のマンホールより活性炭粉末が供給されて、攪拌機で攪拌下に懸濁分散され、ついで導管を経て原水タンクへ送られた。この活性炭懸濁液は、ついでポンプおよび導管を経て主濾過器へ送られた。
このようにして、珪藻土層の上に活性炭層が形成され、濾過液は前記同様にスプリングフィルタ内部へ移行したのち、導管より原水タンクへ循環された。
つぎに、第２の前処理濾過器より溢流してきた原水タンク内の水性成分をポンプおよび導管を経て主濾過器へ供給して濾別し、あるいはコーティング時にかつその一部は導管により原水タンクへ循環された。この濾別により油分、その他の成分が除去され、導管を経て安全フィルタに送られた。
しかし、この装置ではポンプや導管で非常に大掛かりになってしまうという問題があった。
【先行技術文献】
【特許文献】
【０００３】
【特許文献１】特開2012-96126
【発明の概要】
【発明が解決しようとする課題】
【０００４】
そこでこの発明は、従来のような大掛かりにはならない水処理機構及びそのメンテナンスシステムを提供しようとするものである。
【課題を解決するための手段】
【０００５】
前記課題を解決するためこの発明では次のような技術的手段を講じている。
（１）この発明の水処理機構は、多段式の水処理ユニットを有し各水処理ユニットにはそれぞれ対象水質に応じた処理材が充填されており、前記水処理ユニットは上下方向に積載されて被処理水を流すようにしたことを特徴とする。
この水処理機構は、多段式の水処理ユニットを有し各水処理ユニットにはそれぞれ対象水質に応じた処理材が充填されているので、処理材の材質の組み合わせとその順番の前後により被処理水の水質に応じた最適の処理を行うことが出来る。
また、前記水処理ユニットは上下方向に積載されて被処理水を流すようにしたので、水処理ユニットの相互間にポンプや導管を設ける必要がない。
【０００６】
ここで被処理水として、ガソリン・スタンドで洗車に使用した汚染水を例示することが出来る。この水処理機構で浄化した被処理水は、一部は洗車に再利用し、一部は排水することが出来る。
前記処理材として、ポリプロピレン（油吸着機能を有する）、おが屑（油吸着機能を有する）、活性炭（COD成分等の吸着機能を有する）、イオン交換樹脂（無機イオン捕捉機能を有する）、濾過砂（例えばシャモット、ss捕捉機能を有する）などを例示することが出来る。
【０００７】
水処理ユニットは、被処理水の性状・汚れ具合に応じて上下３〜８段と任意の段数に積載することが出来る。ガソリン・スタンドで洗車済みの汚染水を処理する場合は、最初にポリプロピレンやおが屑で油分（漏洩したガソリン、軽油、灯油、エンジンオイル等）を除去し、次いでCOD成分（洗車用の洗剤等）を吸着し、その後濾過砂でssを捕捉し、最後にUF膜に通して、乗用車やトラックなどの車体や窓ガラス、ミラーにキズが付かない洗車用水としてリサイクルすることが出来る。
被処理水は上方から下降流により供給することもできるし、下方から上向流として供給することも出来る。逆洗浄時には、電解水を循環して浄化することが出来る。
【０００８】
（２）前記水処理ユニット相互は引掛け付勢タイプの接続具により着脱可能に連結されたようにしてもよい。
従来は水処理ユニット相互が着脱可能に連結されたものはなかったのに対し、前記のように構成すると、取り換えが簡単で、着脱が容易でメンテナンスがし易く、交換自在であって被処理水の性状の変化への迅速な対応が可能である。
【０００９】
また、一般的に配管の接続にはサニタリー分野では、ねじ込み継手、フランジ継手、へルール継手などが用いられるが、ねじ込み継手は工具を使ってかなり力を入れないと脱着できないし、フランジ継手はボルト・ナットを何本も外さなければならないし、へルール継手は高価であるといううらみがあった。
これに対し、水処理ユニット相互は引掛け付勢タイプの接続具により着脱可能に連結されるようにすると、水処理ユニットをワン・タッチで容易に脱着して取り換えすることが可能であり、交換時のメンテナンス性に優れることとなる。
【００１０】
（３）前記多段式の水処理ユニットを収容する筐体を具備するようにしてもよい。
このように構成し、多段式の水処理ユニットを収容する筐体を具備するようにすると、吊り上げ機構により筐体を吊り上げてここに収容されている水処理ユニットを交換することができる。そして、筐体内の水処理ユニット相互を密着させて密閉することにより、相互間の接続具を省略することが出来る。
ここで前記筐体として、下方が開放した筒状体のものを用いることが出来る。この筒状体は、下部に設置した対応嵌合体に水密性を担保しつつ、脱着可能ないし脱着自在に固定する。筐体として、ハウジングやケーシングを用いることが出来る。
【００１１】
（４）この発明の水処理機構のメンテナンスシステムは、前記水処理ユニットに充填された処理材を活性炭とし、設置現場で該水処理ユニットに高温エアーを吹き込むことにより該処理材の賦活・再生を行うようにしたことを特徴とする。
このように構成し、設置現場で該水処理ユニットに高温エアーを吹き込むことにより該処理材の賦活・再生を行うようにすると、水処理ユニットを取り外すことなく、また活性炭を抜き出すことなく、その場で活性炭の再生を行うことが出来る。
【００１２】
（５）この発明の水処理機構のメンテナンスシステムは、前記水処理ユニットの吊り上げ機構を有し、前記吊り上げ機構により水処理ユニットを吊り上げて交換するようにしたことを特徴とする。
このように構成し、水処理ユニットの吊り上げ機構を有し、前記吊り上げ機構により水処理ユニットを吊り上げて交換するようにすると、そこそこの重量を有する水処理ユニットの交換を人力の省力化をして行うことができる。
【００１３】
前記水処理ユニットは、例えば吊り上げ機構であるクレーンにそのフックに引っ掛け、引き上げて交換することが出来る。この水処理ユニットは、単体の乾燥重量が10〜20kg程度とすることが出来る。
交換した水処理ユニットは、メンテナンスの再生業者がクリーン・アップした後、再度現場に納入し汚染された水処理ユニットと交換することが出来る。水処理ユニットをメンテ業者に移送する際、現場で高圧エアーを用いてできるだけ脱水して軽量化しておくことが好ましい。
水処理ユニットを交換は水処理機構の所有者が行い、再生はメンテナンス業者が行うことが出来る。
【００１４】
（６）この発明の水処理機構のメンテナンスシステムは、前記水処理ユニットに高圧エアーを吹き込むことにより処理材の脱水を行うようにしたことを特徴とする。
このように構成し、水処理ユニットに高圧エアーを吹き込むことにより処理材の脱水を行うようにすると、水処理ユニットを軽量化して再生業者まで搬送することが出来る。
【発明の効果】
【００１５】
この発明は上述のような構成であり、次の効果を有する。
水処理ユニットの相互間にポンプや導管を設ける必要がないので、従来のような大掛かりにはならない水処理機構及びそのメンテナンスシステムを提供することが出来る。
【図面の簡単な説明】
【００１６】
【図１】この発明の水処理機構のメンテナンスシステムの実施形態を説明するガソリン・スタンドで洗車済みの汚染水の処理の全体システム・フロー図。
【図２】この発明の水処理機構のメンテナンスシステムの実施形態を説明する側面図。
【図３】この発明の水処理機構のメンテナンスシステムの実施形態を説明する要部拡大図。
【図４】この発明の水処理機構の他の実施形態の引掛け付勢タイプの接続具を説明する図面代用写真。
【発明を実施するための形態】
【００１７】
以下、この発明の実施の形態を図面を参照して説明する。
【実施例１】
【００１８】
この実施形態の水処理機構のメンテナンスシステムは、ガソリン・スタンドにおいて洗車済みの汚染水を処理して再利用するようにした。この水処理機構で浄化した被処理水は、一部は洗車に再利用し一部は排水するようにした。
図１に示すように、洗車排水は、洗車排水原水ピット（10m3）１から原水槽（20m3）２を経て、洗車排水の水処理機構（後述の水処理ユニット３を有する）へと送られる。
【００１９】
原水槽２から水処理機構への移送ラインには、電解促進液貯槽（0.10m3）４から電解塩素生成装置５により生成した電解水が電解塩素貯槽（0.10m3）６を経て供給されて、洗車済みの汚染水中のCOD成分（洗車用の洗剤等）を酸化分解することになる。
浄化された処理水は中間水槽（0.30m3）７を経て、UF膜８へと送られ、その後、処理水槽（0.60m3）９と、水道水が供給される処理水槽（10m3）10に送られる。
そして、この処理水槽（0.10m3）10から、自動車やトラック、バスなどの洗車機に送られ、また洗車用水として供給される。なお、逆洗排水のライン、逆洗ライン、クロスフローラインを併設している。逆洗排水のラインでは、排水量はろ過量×０．１（再利用）としている。
【００２０】
図２及び３に示すように、この実施形態の水処理機構は、多段式の水処理ユニット３を２連有し、各水処理ユニット３には、後述のように、それぞれ対象水質に応じた処理材が充填されており、前記水処理ユニット３は上下方向に積載されて被処理水（洗車排水）を流すようにしている。２連の水処理ユニット３は片方が運転中は、他方をメンテナンスとし、相互運転を行うようにしている。
また、前記多段式の水処理ユニット３を収容する筐体11を具備するようにした。前記筐体11として、下方が開放した筒状体のものを用いた。この筒状体は、下部に設置した対応嵌合体に水密性を担保しつつ、脱着脱着自在に固定した。
図３に示すように、処理材として、上段の水処理ユニット３には油分及びＣＯＤ成分除去濾過材12を収容し、２段、３段、４段の水処理ユニット３にはいずれも活性炭濾過材吸着材13を収用し、下段の水処理ユニット３にはシャモット濾過材14を収容した。油分及びＣＯＤ成分除去濾過材として、ポリプロピレンと活性炭の双方を収容した。
【００２１】
被処理水は上方から下降流により供給するようにした。逆洗浄時には、電解水を循環して浄化することが出来る。
水処理ユニット３をメンテ業者に移送する際、現場で高圧エアー15を用いてできるだけ脱水して軽量化しておくことが好ましいので、前記水処理ユニット３に高圧脱水用エアーを吹き込むことにより処理材の脱水を行うようにした。
【００２２】
さらに、この水処理機構のメンテナンスシステムは、前記水処理ユニット３の吊り上げ機構16を有し、前記吊り上げ機構により水処理ユニット３を吊り上げて交換するようにした。
具体的には、前記水処理ユニット３は、吊り上げ機構であるクレーンにそのフックに引っ掛け、引き上げて交換するようにした。この水処理ユニット３は、単体の乾燥重量が15kgとした。
【００２３】
次に、この実施形態の水処理機構のメンテナンスシステムの使用状態を説明する。
この水処理機構は、多段式の水処理ユニット３を有し各水処理ユニット３にはそれぞれ対象水質に応じた処理材が充填されているので、処理材の材質の組み合わせとその順番の前後により被処理水の水質に応じた最適の処理を行うことが出来る。
また、前記水処理ユニット３は上下方向に積載されて被処理水を流すようにしたので、水処理ユニット３の相互間にポンプや導管を設ける必要がなく、従来のような大掛かりにはならないという利点がある。
【００２４】
また、多段式の水処理ユニット３を収容する筐体11を具備するようにしたので、吊り上げ機構により筐体11を吊り上げてここに収容されている水処理ユニット３を交換することができた。そして、筐体11内の水処理ユニット３相互を密着させて密閉することにより、相互間の接続具を省略することが出来た。
【００２５】
さらに、水処理ユニット３の吊り上げ機構を有し、前記吊り上げ機構により水処理ユニット３を吊り上げて交換するようにしたので、単体の乾燥重量で15kgを有する水処理ユニット３の交換を人力の省力化をして行うことができた。
その上、水処理ユニット３に高圧エアー15を吹き込むことにより処理材の脱水を行うようにしたので、水処理ユニット３を軽量化して再生業者まで搬送することが出来た。
【実施例２】
【００２６】
上記実施例との相違点を中心に説明する。
図１及び４に示すように、この実施例の水処理機構は、前記水処理ユニット３相互は引掛け付勢タイプの接続具17により着脱可能に連結されたようにした。
この接続具17は、上下の水処理ユニット３の端部への固定部18と、引掛け付勢部とを有し、この引掛け付勢部は作業片19と、他方側に形成された被引掛け部20とから成る。
【００２７】
したがって、水処理ユニット３をワン・タッチで容易に脱着して取り換えすることが可能であり、交換時のメンテナンス性に優れることとなった。
また、水処理ユニット３の取り換えが簡単で、着脱が容易でメンテナンスがし易く、交換自在であって被処理水の性状の変化への迅速な対応が可能であった。
【実施例３】
【００２８】
上記実施例との相違点を中心に説明する。
この水処理機構のメンテナンスシステムは、前記水処理ユニット３に充填された処理材を活性炭（図示せず）とし、設置現場で該水処理ユニット３に高温エアーを吹き込むことにより該処理材の賦活・再生を行うようにした。
したがって、水処理ユニット３を取り外すことなく、また活性炭を抜き出すことなく、その場で活性炭の再生を行うことが出来た。
【産業上の利用可能性】
【００２９】
従来のような大掛かりにはならないことによって、種々の水処理機構及びそのメンテナンスシステムの用途に適用することができる。
【符号の説明】
【００３０】
３  水処理ユニット
15  高圧エアー
17  引掛け付勢タイプの接続具
【図１】
2019155240.tif 000003
【図２】
2019155240.tif 000004
【図３】
2019155240.tif 000005
【図４】
2019155240.tif 000006